(57)【要約】      （修正有）【課題】狭い箇所での螺子部品（ボルトやナット）のラチェットレンチによる着脱に際し、その螺子部品の被螺着部品（ボルトに対する螺子孔、ナットに対する雄螺子）への適切な噛み合わせと、六角柱体挿嵌穴における六角穴への螺子部品における六角柱体（ボルト頭やナット）の合致を容易にしたラチェットレンチの螺子部品整合補助具を提供する。【解決手段】六角柱体に合致する少なくとも２以上の六角穴を同心上で相互に所定角度位相をずらせて成る六角柱体挿嵌穴Ｈを設けたソケットＳを、把持部Ｇの先端に設けた環状支持部Ｆに、前記把持部Ｇの六角柱体の周方向への回動往復操作によってソケットＳが一方向にのみ回転する様に収容したラチェットレンチＲにおいて、ソケットＳに同心回転可能に取付けたプーリー１と、該プーリー１に一端を固定して巻回し、他端を把持部Ｇ基端側へ繰り出したストリング２とから構成する。【選択図】図５
2019111644.tif 000002
【特許請求の範囲】
【請求項１】
六角ボルトの頭部又は六角ナットから成る六角柱体に合致する少なくとも２以上の六角穴を同心上で相互に所定角度位相をずらせて成る六角柱体挿嵌穴を設けたソケットを、把持部の先端に設けた環状支持部に、前記把持部の六角柱体の周方向への回動往復操作によってソケットが一方向にのみ回転する様に収容したラチェットレンチにおいて、前記ソケットに同心回転可能に取付けたプーリーと、該プーリーに一端を固定して巻回し、他端を把持部基端側へ繰り出したストリングとから成ることを特徴とするラチェットレンチの螺子部品整合補助具。
【請求項２】
ソケットにおける六角柱体挿嵌穴の一方の開口部端面にプーリーの一側面を着離自在に設け、該プーリーの一側面には、六角柱体挿嵌穴における１つの六角穴に対応した６つの内角部に配置されるクリップ脚を突設し、該クリップ脚のうち１本置きの３脚は求心方向へ、他の３脚は遠心方向へ弾性的に付勢して拡縮径自在と成したことを特徴とする請求項１記載のラチェットレンチの螺子部品整合補助具。
【請求項３】
ソケットにおける六角柱体挿嵌穴の一方の開口部端面にプーリーの一側面を着離自在に設け、該プーリーの一側面には、その中央に六角柱体挿嵌穴の内周形状又は六角柱体挿嵌穴における１つの六角穴の内周形状に合致した外周形状を有すると共に、六角柱体挿嵌穴の深さより丈の短い挿嵌部を突設し、プーリーの一側面における挿嵌部基端周囲に、磁性体より成るソケットの前記開口部端面にのみ磁着可能と成す様に円環状に形成した磁石を一体的に取付けたことを特徴とする請求項１記載のラチェットレンチの螺子部品整合補助具。
【請求項４】
ラチェットレンチにおいてプーリーを取り付けた側の環状支持部の基端にストリングの他端側を把持部基端側へ挿通案内するストリングガイドを設けたことを特徴とする請求項１、２又は３記載のラチェットレンチの螺子部品整合補助具。
【請求項５】
ストリングガイドは、環状支持部の基端面上に直立する様に自転回転可能な支軸を挿脱自在に突設して成り、該支軸の上端の直径方向にはストリングの挿通穴を穿設したことを特徴とする請求項４記載のラチェットレンチの螺子部品整合補助具。
【請求項６】
ラチェットレンチは、把持部に対して環状支持部をその表裏方向に回動する様に、環状支持部基端に設けた凸出部を把持部先端に設けた凹欠部に配置すると共に、凸出部と凹欠部に枢軸を横貫して成り、ストリングガイドはストリングが挿通可能な筒状に形成されると共に、凸出部に上方より合致可能な門型のホルダーを構成する一対の左右対称な鉤状板片の水平片端部を枢着する枢軸と成り、ホルダーは凸出部左右の鉤状段部端面と凹欠部左右の側片先端面間の隙間よりも薄肉に形成され、該隙間に鉤状板片の垂直片を側方より挿脱可能に設け、垂直片の外側縁下端に前記側片先端面下部に掛止可能な抜止め突片を設けたことを特徴とする請求項４記載のラチェットレンチの螺子部品整合補助具。
【請求項７】
ホルダーの垂直片の外側縁適所に指掛け突片を外方突設したことを特徴とする請求項６記載のラチェットレンチの螺子部品整合補助具。
【発明の詳細な説明】
【技術分野】
【０００１】
本発明は、特に、狭い箇所でのボルトやナットのラチェットレンチによる着脱に際し、螺子孔に対するボルトと雄螺子に対するナットの適切な噛み合わせと、ソケットへのボルト頭やナットへの合致を容易にしたラチェットレンチの螺子部品整合補助具に関する。
【背景技術】
【０００２】
従来、自動車整備や修理に使用されているラチェットレンチとしては、多種多様のものが見受けられる。
【０００３】
その多くのラチェットレンチは、六角ボルトの頭部又は六角ナットから成る六角柱体を挿脱可能なソケットを、把持部の先端に設けた環状支持部に、前記把持部の六角柱体の周方向への回動往復操作によってソケットが一方向にのみ回転する様に収容している（例えば特許文献１参照）。
【０００４】
ソケットは、六角柱体に合致する少なくとも２以上の六角穴を同心上で相互に所定角度位相をずらせて成る六角柱体挿嵌穴を設け、該六角柱体挿嵌穴において１つの六角穴に六角柱体が合致する様に挿嵌し、把持部の六角柱体の周方向への回動往復操作によって螺子部品（ボルトやナット）を締緩する。
【０００５】
また、このラチェットレンチでは、把持部に対して環状支持部をその表裏方向に回動する様に、環状支持部基端に設けた凸出部を把持部先端に設けた凹欠部に配置すると共に、凸出部と凹欠部に枢軸を横貫しており、この様な屈曲タイプのラチェットレンチは、螺子部品の締緩作業にあたって、着脱すべきボルトやナットが狭く入り組んで奥まった狭い箇所に有する場合には使い勝手がよく便利であった。
【先行技術文献】
【特許文献】
【０００６】
【特許文献１】実用新案登録第２５７２３８９号公報（図３、７）
【発明の概要】
【発明が解決しようとする課題】
【０００７】
しかしながら、上記構成のラチェットレンチを使用するにしても、先ず螺子孔にボルトの雄螺子先端、或いは雄螺子先端にナットの螺子孔が適切に噛み合わさった後でなければ、ラチェットレンチを用いることができない。
例えば手の届き難い狭い箇所での螺着作業では、片手でボルト先端を螺子孔に差し込んだり、ナットに雄螺子先端を押し込んだ状態を保持していても、ラチェットレンチのソケットにボルト頭又はナットの六角柱体を挿嵌するためには、その六角柱体からこれを抑えていた手を離さなければならないから、その瞬間に螺子同士（ボルトと螺子孔、ナットと雄螺子）の噛み合せがズレていると、ボルトやナットが外れて落下したり、例え六角柱体をソケットに挿嵌できてラチェットレンチの把持部を回動往復操作できたとしても、螺子同士の螺着は進まず、最初からやり直す必要があり、螺子同士が噛み合うまで何度も狭い箇所で同じ作業を繰り返さねばならないといった不具合を有している。
【０００８】
また、螺着されているボルトやナットを狭い箇所から取り外す場合でも、ソケットの六角柱体挿嵌穴における六角穴の１つに六角柱体（ボルト頭やナット）が合致しなければ、該六角柱体を挿嵌できず、把持部を持つ手の手首の角度を変えるなど試行錯誤を施して六角柱体に六角柱体挿嵌穴を挿嵌できるまでその作業を繰り返す必要があるといった課題を有している。
【０００９】
そこで、本発明では、狭い箇所での螺子部品（ボルトやナット）のラチェットレンチによる着脱に際し、その螺子部品の被螺着部品（ボルトに対する螺子孔、ナットに対する雄螺子）への適切な噛み合わせと、六角柱体挿嵌穴における六角穴への螺子部品における六角柱体（ボルト頭やナット）の合致を容易にしたラチェットレンチの螺子部品整合補助具を提供することを目的としている。
【課題を解決するための手段】
【００１０】
上記課題に鑑み、本発明に係るラチェットレンチの螺子部品整合補助具は、六角ボルトの頭部又は六角ナットから成る六角柱体に合致する少なくとも２以上の六角穴を同心上で相互に所定角度位相をずらせて成る六角柱体挿嵌穴を設けたソケットを、把持部の先端に設けた環状支持部に、前記把持部の六角柱体の周方向への回動往復操作によってソケットが一方向にのみ回転する様に収容したラチェットレンチにおいて、前記ソケットに同心回転可能に取付けたプーリーと、該プーリーに一端を固定して巻回し、他端を把持部基端側へ繰り出したストリングとから成ることを特徴とする。
また、ソケットにおける六角柱体挿嵌穴の一方の開口部端面にプーリーの一側面を着離自在に設け、該プーリーの一側面には、六角柱体挿嵌穴における１つの六角穴に対応した６つの内角部に配置されるクリップ脚を突設し、該クリップ脚のうち１本置きの３脚は求心方向へ、他の３脚は遠心方向へ弾性的に付勢して拡縮径自在と成したことを特徴とする。
或いは、ソケットにおける六角柱体挿嵌穴の一方の開口部端面にプーリーの一側面を着離自在に設け、該プーリーの一側面には、その中央に六角柱体挿嵌穴の内周形状又は六角柱体挿嵌穴における１つの六角穴の内周形状に合致した外周形状を有すると共に、六角柱体挿嵌穴の深さより丈の短い挿嵌部を突設し、プーリーの一側面における挿嵌部基端周囲に、磁性体より成るソケットの前記開口部端面にのみ磁着可能と成す様に円環状に形成した磁石を一体的に取付けたことを特徴とする。
そして、ラチェットレンチにおいてプーリーを取り付けた側の環状支持部の基端にストリングの他端側を把持部基端側へ挿通案内するストリングガイドを設けたことを特徴とする。
また、ストリングガイドは、環状支持部の基端面上に直立する様に自転回転可能な支軸を挿脱自在に突設して成り、該支軸の上端の直径方向にはストリングの挿通穴を穿設したことを特徴とする。
或いは、ラチェットレンチは、把持部に対して環状支持部をその表裏方向に回動する様に、環状支持部基端に設けた凸出部を把持部先端に設けた凹欠部に配置すると共に、凸出部と凹欠部に枢軸を横貫して成り、ストリングガイドはストリングが挿通可能な筒状に形成されると共に、凸出部に上方より合致可能な門型のホルダーを構成する一対の左右対称な鉤状板片の水平片端部を枢着する枢軸と成り、ホルダーは凸出部左右の鉤状段部端面と凹欠部左右の側片先端面間の隙間よりも薄肉に形成され、該隙間に鉤状板片の垂直片を側方より挿脱可能に設け、垂直片の外側縁下端に前記側片先端面下部に掛止可能な抜止め突片を設けたことを特徴とする。
また、ホルダーの垂直片の外側縁適所に指掛け突片を外方突設したことを特徴とする。
【発明の効果】
【００１１】
要するに本発明は、六角ボルトの頭部又は六角ナットから成る六角柱体に合致する少なくとも２以上の六角穴を同心上で相互に所定角度位相をずらせて成る六角柱体挿嵌穴を設けたソケットを、把持部の先端に設けた環状支持部に、前記把持部の六角柱体の周方向への回動往復操作によってソケットが一方向にのみ回転する様に収容したラチェットレンチにおいて、前記ソケットに同心回転可能に取付けたプーリーと、該プーリーに一端を固定して巻回し、他端を把持部基端側へ繰り出したストリングとから成るので、狭い箇所での螺子部品（ボルトやナット）のラチェットレンチによる螺着に際し、該螺子部品の六角柱体（ボルト頭又はナット）をソケットに挿嵌し、ボルトの螺着であれば、該ボルトを螺入すべく螺子孔の開口部にボルトの雄螺子先端を当接し、またナットの螺着であれば、該ナットを螺着すべく雄螺子先端にナットの螺子孔開口部を当接し、把持部を持った手元のストリング他端を引っ張ると、プーリーと共に六角柱体を挿嵌したソケットが回転可能方向に回転するため、ボルト先端は螺子孔に、ナットは雄螺子先端に螺進可能に噛み合ってその状態を保持でき、引続きラチェットレンチの把持部を回動往復操作すれば、その螺子部品の締結を完了できる。
また、狭い箇所での螺子部品（ボルトやナット）のラチェットレンチによる螺退に際し、螺子部品の六角柱体（ボルト頭又はナット）にソケットの六角柱体挿嵌穴を当接し、把持部を持った手元のストリング他端を引っ張って、プーリーと共にソケットを回転可能方向に回転させることにより、六角柱体挿嵌穴における六角穴の１つを六角柱体に合致させられ、該六角柱体をソケットに簡単に挿嵌でき、そのままラチェットレンチの把持部を回動往復操作すれば、その螺子部品を被螺着部品（ボルトに対する螺子孔、ナットに対する雄螺子）より離脱できる。
よって、本発明によれば、狭い箇所での螺子部品（ボルトやナット）のラチェットレンチによる着脱に際し、その螺子部品の被螺着部品（ボルトに対する螺子孔、ナットに対する雄螺子）への適切な噛み合わせと、六角柱体挿嵌穴における六角穴への螺子部品における六角柱体（ボルト頭やナット）の合致を簡単容易にできるため、狭い箇所における螺子部品の着脱作業効率を飛躍的に向上できる。
【００１２】
また、ソケットにおける六角柱体挿嵌穴の一方の開口部端面にプーリーの一側面を着離自在に設け、該プーリーの一側面には、六角柱体挿嵌穴における１つの六角穴に対応した６つの内角部に配置されるクリップ脚を突設し、該クリップ脚のうち１本置きの３脚は求心方向へ、他の３脚は遠心方向へ弾性的に付勢して拡縮径自在と成したので、六角柱体挿嵌穴における１つの六角穴に対応した６つの内角部に配置する様に、クリップ脚を六角柱体挿嵌穴に差し込むだけで、六角柱体挿嵌穴の一方の開口部端面にプーリーの一側面を着座する様にしてプーリーをソケットに取付けることができ、その取付け状態は遠心方向へ弾性的に付勢した３脚のクリップ脚によって保持できると共に、求心方向へ弾性的に付勢された他の３脚のクリップ脚によって六角柱体挿嵌穴に挿嵌された六角柱体の３面を弾性的に掴持し、六角柱体の挿嵌状態をより強固に保持でき、また六角柱体挿嵌穴に六角柱体が挿嵌されていない状態で、六角柱体挿嵌穴からクリップ脚を引き出す様にプーリーを六角柱体挿嵌穴の開口部端面から離脱することにより、ラチェットレンチ（ソケット）から簡単に取り外すことができる。
【００１３】
また、ソケットにおける六角柱体挿嵌穴の一方の開口部端面にプーリーの一側面を着離自在に設け、該プーリーの一側面には、その中央に六角柱体挿嵌穴の内周形状又は六角柱体挿嵌穴における１つの六角穴の内周形状に合致した外周形状を有すると共に、六角柱体挿嵌穴の深さより丈の短い挿嵌部を突設し、プーリーの一側面における挿嵌部基端周囲に、磁性体より成るソケットの前記開口部端面にのみ磁着可能と成す様に円環状に形成した磁石を一体的に取付けたので、挿嵌部を六角柱体挿嵌穴に挿嵌するだけで、磁石によってソケットの一方の開口部端面にプーリーの一側面が磁着着座させられ、プーリーを簡単にソケットに取付けでき、その取付け状態は磁石のソケットに対する磁着によって保持できると共に、挿嵌部の六角柱体挿嵌穴への挿嵌によってソケットに対し位置ずれのない同心回転可能状態と成すことができ、またラチェットレンチ（ソケット）からのプーリーの取り外しにあっては、挿嵌部を六角柱体挿嵌穴から引き出すと共に、その開口部端面から磁石を離脱することにより簡単に成し得る。
【００１４】
そして、ラチェットレンチにおいてプーリーを取り付けた側の環状支持部の基端にストリングの他端側を把持部基端側へ挿通案内するストリングガイドを設けたので、該ストリングガイドによりストリングを把持部を握る手元へ導くことができ、これによりストリングを引っ張ってプーリーと共にソケットを回転可能方向へ容易に回すことができる。
【００１５】
ストリングガイドは、環状支持部の基端面上に直立する様に自転回転可能な支軸を挿脱自在に突設して成り、該支軸の上端の直径方向にはストリングの挿通穴を穿設したので、ラチェットレンチにプーリーを取り付ける必要がない場合には、支軸を取り外すだけで、通常のラチェットレンチとしての使用が可能である。
【００１６】
また、ラチェットレンチは、把持部に対して環状支持部をその表裏方向に回動する様に、環状支持部基端に設けた凸出部を把持部先端に設けた凹欠部に配置すると共に、凸出部と凹欠部に枢軸を横貫して成り、ストリングガイドはストリングが挿通可能な筒状に形成されると共に、凸出部に上方より合致可能な門型のホルダーを構成する一対の左右対称な鉤状板片の水平片端部を枢着する枢軸と成り、ホルダーは凸出部左右の鉤状段部端面と凹欠部左右の側片先端面間の隙間よりも薄肉に形成され、該隙間に鉤状板片の垂直片を側方より挿脱可能に設け、垂直片の外側縁下端に前記側片先端面下部に掛止可能な抜止め突片を設けたので、ストリングガイドを枢軸として左右の鉤状板片を回動することにより垂直片間の間隔を広狭自在と成すことができ、凸出部上でその間隔を広げた状態から狭める様に各鉤状板片を下方揺動することにより、外方から前記隙間へ向かって垂直片を挿入して垂直片間に凸出部を挟持すると、ホルダーの門口内に凸出部を合致する様に掴持させられ、かかる掴持状態は、前記側片先端面下部に抜止め突片が掛止することで保持でき、一方その掛止を解除する様に垂直片間の間隔を広げるだけで凸出部からホルダーと共にストリングガイドを離脱でき、よって屈曲タイプのラチェットレンチ専用に着脱可能なストリングガイドを提供できる。
【００１７】
さらに、ホルダーの垂直片の外側縁適所に指掛け突片を外方突設したので、上記の様に凸出部に取付けたホルダーを取り外す際に、指掛け突片に指を掛けて垂直片間の間隔を広げる様に左右の鉤状板片を簡単に上方揺動させられ、ストリングガイドをラチェットレンチから離脱させることができる等その実用的効果甚だ大である。
【図面の簡単な説明】
【００１８】
【図１】ストリングを省略した螺子部品整合補助具の平面図である。
【図２】同上正面図である。
【図３】図１のＡ−Ａ断面図である。
【図４】同上分解斜視図である。
【図５】螺子部品整合補助具を取付けたラチェットレンチの平面図である。
【図６】同上側面図である。
【図７】図５のＢ−Ｂ断面図である。
【図８】図６のＣ−Ｃ断面図である。
【図９】ストリングガイドの他例を示す斜視図である。
【図１０】同上正面図である。
【図１１】同上使用状態を示すラチェットレンチの平面図である。
【図１２】同上側面図である。
【図１３】図12のＤ−Ｄ断面図である。
【図１４】螺子部品整合補助具の変形例を示すストリングを省略した平面図である。
【図１５】同上正面図である。
【図１６】同上底面図である。
【図１７】図14のＥ−Ｅ断面図である。
【図１８】螺子部品整合補助具を取付けたラチェットレンチの平面図である。
【図１９】同上側面図である。
【図２０】図18のＦ−Ｆ断面図である。
【図２１】図19のＧ−Ｇ断面図である。
【図２２】使用状態を示すラチェットレンチの断面図である。
【発明を実施するための形態】
【００１９】
以下本発明の実施の一形態例を図面に基づいて説明する。
本発明に係る螺子部品整合補助具は、ラチェットレンチＲに備えられた六角ボルトの頭部又は六角ナットから成る六角柱体Ｐを挿（嵌・離）脱可能なソケットＳに同心回転可能に取付けたプーリー１と、該プーリー１に一端を固定して数回巻回し、他端をラチェットレンチＲの把持部Ｇの基端側へ繰り出した合成繊維製の細い糸や紐から成る所定長さのストリング２とから主に構成している。
【００２０】
ラチェットレンチＲは、六角柱体Ｐに合致する少なくとも２以上の六角穴H1、H2を同心上で相互に所定角度（図示例では30度）位相をずらせて成る六角柱体挿嵌穴Ｈを設けたソケットＳを、把持部Ｇの先端に設けた環状支持部Ｆに、前記把持部Ｇの六角柱体Ｐの周方向への回動往復操作によってソケットＳが一方向にのみ回転する様に収容している。
【００２１】
また、ラチェットレンチＲは、把持部Ｇに対して環状支持部Ｆをその表裏方向に回動する様に、環状支持部Ｆ基端に設けた凸出部F1を把持部Ｇ先端に設けた凹欠部G1に配置すると共に、凸出部F1と凹欠部G1に枢軸Ｋを横貫している。
【００２２】
尚、図中のラチェットレンチＲは、説明の便宜上把持部Ｇの先端側のみを示しており、図７ではラチェットレンチＲの断面図を示しているが、ソケットＳを一方向にのみに回転させるラチェット機構は省略している。
また、図示例のラチェットレンチＲは、これを裏返してソケットＳの回転方向の切り換えを行う所謂リバーシブルタイプを表しているが、特許文献１にも開示されている様な外周にラチェット歯を設けたソケットを回転自在に収容する環状支持部を貫通すると共に、ラチェット歯に噛合してソケットの回転に左右いずれかの方向性を持たせるための回転切替用爪を備えたラチェットレンチにも本発明の螺子部品整合補助具は適用可能である。
【００２３】
そして、ソケットＳにおける六角柱体挿嵌穴Ｈの一方の開口部端面にプーリー１の一側面（後述の下側フランジ1b）を着（座・脱）離自在に設け、該プーリー１の一側面には、六角柱体挿嵌穴Ｈにおける１つの六角穴（図８ではH1）に対応した６つの内角部に配置されるクリップ脚３を突設している。
【００２４】
プーリー１は、所定径及び所定幅を有する金属製で円環状のスプール1aの上下開口部端面に、該スプール1aと内口径が同一で同心の下側フランジ1bと、内口径がスプール1aのそれより小径で同心の上側フランジ1cを設け、該上側フランジ1cの小径開口部には突出長が極めて短いカシメ用の環状突片1dを、下側フランジ1bの大径開口部1eに向かって下方突設している。
尚、スプール1aの適所にストリング２の一端を接着、溶着、その他の適宜手段にて固定している。
【００２５】
クリップ脚３は、大径開口部1eより小径な外径と、環状突片1dを挿通可能な透孔4aを有すると共に、環状突片1dの突出長より薄肉な環状のバネ用鋼材から成る座板４の六方より一体的に下方突設した細長帯状の６脚から成り、クリップ脚３のうち１本置きの３脚3aは求心方向へ、他の３脚3bは遠心方向へ弾性的に付勢して拡縮径自在と成している。
【００２６】
そして、プーリー１の大径開口部1eから座板４を挿入すると共に、その透孔4aに環状突片1dを挿通し、座板４上面を上側フランジ1cの下面に当接すると共に、環状突片1dの先端側を外側へ拡開屈曲する様にカシメてプーリー１に座板４を固着し、プーリー１とクリップ脚３を一体化しており、クリップ脚３の各内面は所定径の六角柱体Ｐの六側面の夫々を当接可能と成している。
【００２７】
この様に構成された螺子部品整合補助具（以下、補助具とも称する。）は、ラチェットレンチＲにおいて上向きの六角柱体挿嵌穴Ｈの上方から該六角柱体挿嵌穴Ｈにおける１つの六角穴H1に対応した６つの内角部に配置する様に、クリップ脚３を六角柱体挿嵌穴Ｈに差し込むだけで、六角柱体挿嵌穴Ｈの一方の開口部端面にプーリー１の一側面1bを着座する様にしてプーリー１をソケットＳ（ラチェットレンチＲ）に取付けることができる。
【００２８】
このラチェットレンチＲに対するプーリー１の取付け状態は遠心方向へ弾性的に付勢した３脚のクリップ脚3bによって保持できると共に、求心方向へ弾性的に付勢された他の３脚のクリップ脚3aによって六角柱体挿嵌穴Ｈに挿嵌された六角柱体Ｐの３面を弾性的に掴持し、六角柱体Ｐの挿嵌状態をより強固に保持できる。
【００２９】
また、六角柱体挿嵌穴Ｈに六角柱体Ｐが挿嵌されていない状態で、六角柱体挿嵌穴Ｈからクリップ脚３を引き出す様にプーリー１をこれが着座している六角柱体挿嵌穴Ｈの開口部端面から離脱することにより、ラチェットレンチＲから補助具（プーリー１）を簡単に取り外すことができる。
【００３０】
更に、上記補助具には、ストリング２の他端側を把持部Ｇ基端側へ挿通案内してストリング２を把持部Ｇを握る手元へ導くことができるストリングガイド５を備えるのがより望ましい。
【００３１】
ストリングガイド５は、ラチェットレンチＲにおいてプーリー１を取り付けた側（図示例では上向き側）の環状支持部Ｆの基端に配置される。
ただ、ラチェットレンチＲは表裏どちらでも使用でき、そのどちらでもプーリー１は着脱できるので、このストリングガイド５も、ラチェットレンチＲの表裏のいずれにも着脱可能と成している。
【００３２】
ストリングガイド５は、環状支持部Ｆの基端面上に直立する様に自転回転可能な支軸5aを挿脱自在に突設して成り、該支軸5aの上端の直径方向にはストリング２の挿通穴5bを、ラチェットレンチＲに取付けられたプーリー１のスプール1aと同一平面上に配置する様に、穿設している。
【００３３】
支軸5aは環状支持部Ｆの基端の肉厚よりも長い丸棒から成り、その下端に皿頭5cを形成している。
【００３４】
そして、環状支持部Ｆの基端にその表裏に渡って穿孔Ｎを貫設すると共に、該穿孔Ｎの各開口部は皿頭5cに対応した座繰を設け、支軸5aの上端を直立させたい環状支持部Ｆ基端面の反対側から穿孔Ｎを通して環状支持部Ｆの基端面上より支軸5aを突出させる（図７参照）。
【００３５】
また、ストリングガイドの他例を図９〜13に基づき説明する。
このストリングガイド６は、屈曲タイプのラチェットレンチＲのみに取付け可能な構造からなるものにして、ストリング２が挿通可能な筒状に形成されると共に、その両端口をラッパ状に形成している。
【００３６】
また、ストリングガイド６は環状支持部Ｆの凸出部F1に上方より合致可能な門型のホルダー７を構成する一対の左右対称な鉤状板片８における凸出部F1上面に載置可能な水平片8a端部を枢着する枢軸と成り、各水平片8a端部は前後に重ね合わされてストリングガイド６で枢着され、一方の水平片8aがその肉厚分だけ後方へ屈曲させ、左右の鉤状板片８の各部を左右対称位置に配置する様に成している（図９〜11参照）。
【００３７】
ホルダー７は、凸出部F1左右の鉤状段部端面F2と把持部Ｇの凹欠部G1左右の側片先端面G2間の隙間Ｍよりも薄肉に形成され、該隙間Ｍに鉤状板片８の垂直片8bを側方より挿脱可能に設け、垂直片8bの外側縁下端に側片先端面G2下部の曲面に掛止可能な斜辺を有する略直角三角形状の抜止め突片8cを設けている。
【００３８】
さらに、ホルダー７の垂直片8bの外側縁適所には、抜止め突片8cの突出側に緩やかに彎曲させた帯板状の指掛け突片8dを外方突設している。
【００３９】
この様に構成されたストリングガイド６は、これを枢軸として左右の鉤状板片８を回動することにより、垂直片8b間の間隔を広狭自在と成すことができ、凸出部F1上でその間隔を広げた状態から狭める様に各鉤状板片８を下方揺動することにより、外方から隙間Ｍへ向かって垂直片8bを挿入して該垂直片8b間に凸出部F1を挟持すると、ホルダー７の門口7a内に凸出部F1を合致する様に掴持させられる。
【００４０】
かかる掴持状態は、側片先端面G2下部に抜止め突片8cが掛止することで保持でき、一方その掛止を解除する様に垂直片8b間の間隔を広げるだけで凸出部F1からホルダー７と共にストリングガイド７を離脱できる。
【００４１】
次に、螺子部品整合補助具の変形例を図14〜22に基づき説明する。
この変形例は、ソケットＳにおける六角柱体挿嵌穴Ｈの一方の開口部端面にプーリー１の一側面（下側フランジ）1bを着離自在に設ける手段を変更した点以外は、上記と基本構成が同一のため、上記と同一又は相当部分については同一の符号を図中に付し、説明は省略する。
また、図中ではストリングガイド５を用いたラチェットレンチＲを示したが、当然ながら上記と同様にストリングガイド６を用いても良い。
【００４２】
プーリー１は、所定径及び所定幅を有する金属製又はプラスチック製（好ましくはプラスチック製）から成り、円環状のスプール1aの上下開口部1e端面に、該スプール1aと内口径が同一で同心の下側フランジ1bと上側フランジ1cを設け、両フランジ1b、1cは外径は同一に形成されているが、上側フランジ1cより下側フランジ1bを厚肉（図示例では約２倍）に形成している。
【００４３】
そして、プーリー１の一側面（下側フランジ）1bには、その中央に六角柱体挿嵌穴Ｈの内周形状又は六角柱体挿嵌穴Ｈにおける１つの六角穴H1の内周形状に合致した外周形状を有すると共に、六角柱体挿嵌穴Ｈの深さより丈の短い挿嵌部９を突設し、プーリー１の下側フランジ1bにおける挿嵌部９の基端周囲に、磁性体より成るソケットＳの開口部端面にのみ磁着可能と成す様に円環状に形成した磁石10を一体的に取付けている。
尚、本実施例で用いられるプーリー１は、磁石10でソケットＳの開口部端面に取付ける構成のため、ラチェットレンチＲにおいて、少なくともソケットＳは磁性体で形成される必要がある。
【００４４】
挿嵌部９は中央にスプール1aの開口部と同径でこれに連続する連通口9aを設け、その外周形状が六角柱体挿嵌穴Ｈの内周形状に合致する図示例の様な凹多角柱か、又はその外周形状が六角柱体挿嵌穴Ｈにおける１つの六角穴H1(H2)の内周形状に合致する六角柱（図示せず）に形成され、下側フランジ1bにおいて、挿嵌部９の基端周囲にはソケットＳと同径の外径を有し、挿嵌部９の外周形状に合致する多角形状（図示例では凹多角形状）、又は挿嵌部９の外周の多角形状に内接する円形状の開口部を有する円環板状で下側フランジ1bの肉厚の約半分の深さの凹部を陥没形成し、該凹部にこれに合致する形状の磁石10を埋設固着し、該磁石10の露出面をプーリー１の一側面1bと同一平面上に露出させ、磁石10を一側面1bと一体化させている。
【００４５】
この様に構成された螺子部品整合補助具（以下、補助具とも称する。）は、ラチェットレンチＲにおいて上向きの六角柱体挿嵌穴Ｈの上方から該六角柱体挿嵌穴Ｈに挿嵌部９を挿嵌するだけで、磁石10がソケットＳの一方の開口部端面に磁着することにより当該開口部端面にプーリー１の一側面1bが着座してプーリー１をソケットＳ（ラチェットレンチＲ）に取付けることができる。
【００４６】
このラチェットレンチＲに対するプーリー１の取付け状態は、磁石10のソケットＳに対する磁着によって保持できると共に、挿嵌部９の六角柱体挿嵌穴Ｈへの挿嵌による挿嵌部９の外角部と六角柱体挿嵌穴Ｈの内角部との対応合致によってソケットＳに対し位置ずれのない同心回転可能状態と成すことができる。
【００４７】
また、ラチェットレンチＲ（ソケットＳ）からの補助具（プーリー１）の取り外しにあっては、挿嵌部９を六角柱体挿嵌穴Ｈから引き出すと共に、その開口部端面から一側面1b（磁石10）を離脱することにより簡単に成し得る。
【００４８】
次に、本発明に係る螺子部品整合補助具の使用について説明する。
上記の様にラチェットレンチＲにはプーリー１と、該プーリー１に巻回されたストリング２の他端を挿通したストリングガイド５、６が取付けられており、このラチェットレンチＲによる狭い箇所での螺子部品（ボルトやナット）の螺着に際し、該螺子部品の六角柱体ＰをソケットＳに挿嵌し、ボルトの螺着であれば、該ボルトを螺入すべく螺子孔の開口部にボルトの雄螺子先端を当接し、またナットの螺着であれば、該ナットを螺着すべく雄螺子先端にナットの螺子孔開口部を当接し、把持部Ｇを持った手元のストリング２の他端を引っ張ると、プーリー１と共に六角柱体Ｐを挿嵌したソケットＳが回転可能方向に回転するため、ボルト先端は螺子孔に、ナットは雄螺子先端に螺進可能に噛み合ってその状態保持でき、引続きラチェットレンチＲの把持部Ｇを回動往復操作すれば、その螺子部品の締結を完了できる。
【００４９】
また、ラチェットレンチＲによる狭い箇所での螺子部品の螺退に際し、螺子部品の六角柱体ＰにソケットＳの六角柱体挿嵌穴Ｈを当接し、把持部Ｇを持った手元のストリング２の他端を引っ張って、プーリー１と共にソケットＳを回転可能方向に回転させることにより、六角柱体挿嵌穴Ｈにおける六角穴H1、H2の１つを六角柱体Ｐに合致させられ、該六角柱体ＰをソケットＳに簡単に挿嵌でき、そのままラチェットレンチＲの把持部Ｇを回動往復操作すれば、その螺子部品を被螺着部品（ボルトに対する螺子孔、ナットに対する雄螺子）より離脱できる。
【符号の説明】
【００５０】
１  プーリー
1b  一側面
２  ストリング
３  クリップ脚
５  ストリングガイド
5a  支軸
5b  挿通穴
６  ストリングガイド
７  ホルダー
８  鉤状板片
8a  水平片
8b  垂直片
8c  抜止め突片
8d  指掛け突片
９  挿嵌部
10  磁石
Ｆ  環状支持部
F1  凸出部
F2  鉤状段部端面
Ｇ  把持部
G1  凹欠部
G2  側片先端面
Ｈ  六角柱体挿嵌穴
H1  六角穴
H2  六角穴
Ｋ  枢軸
Ｍ  隙間
Ｐ  六角柱体
Ｒ  ラチェットレンチ
Ｓ  ソケット
【図１】
2019111644.tif 000003
【図２】
2019111644.tif 000004
【図３】
2019111644.tif 000005
【図４】
2019111644.tif 000006
【図５】
2019111644.tif 000007
【図６】
2019111644.tif 000008
【図７】
2019111644.tif 000009
【図８】
2019111644.tif 000010
【図９】
2019111644.tif 000011
【図１０】
2019111644.tif 000012
【図１１】
2019111644.tif 000013
【図１２】
2019111644.tif 000014
【図１３】
2019111644.tif 000015
【図１４】
2019111644.tif 000016
【図１５】
2019111644.tif 000017
【図１６】
2019111644.tif 000018
【図１７】
2019111644.tif 000019
【図１８】
2019111644.tif 000020
【図１９】
2019111644.tif 000021
【図２０】
2019111644.tif 000022
【図２１】
2019111644.tif 000023
【図２２】
2019111644.tif 000024